(57)【要約】【課題】  天板に、天板上に載置した電子情報端末に給電するとともに、通信ネットワークに接続することが可能な機能を組み込むとともに、アクセスポイントやカプラー等の必須の付属電子制御機器をスッキリ収納して煩雑な配線を不要とし、また放熱性も備えた通信及び給電テーブルを提供する。【解決手段】  天板１を支持する脚部２に収納部５を設けるとともに、天板には電子情報端末Ｐへの電力を供給するワイヤレス給電エリア３と、電子情報端末に対する情報通信を行うための通信用シートからなる通信接続エリア４を近接して配置し、ワイヤレス給電手段と通信用シートのためのアクセスポイント、カプラー等の電子制御機器６を収納部に格納した。【選択図】        図２
2014097208.tif 000002
【特許請求の範囲】
【請求項１】
天板を支持する脚部に収納部を設けるとともに、前記天板には電子情報端末への電力を供給するワイヤレス給電エリアと、電子情報端末に対する情報通信を行うための通信用シートからなる通信接続エリアを近接して配置し、前記ワイヤレス給電手段と通信用シートのためのアクセスポイント、カプラー等の電子制御機器を前記収納部に格納したことを特徴とする通信及び給電テーブル。
【請求項２】
前記天板に横方向に延びた前記ワイヤレス給電エリアと前記通信接続エリアを前後に配置してなる請求項１記載の通信及び給電テーブル。
【請求項３】
前記天板の手前側に前記ワイヤレス給電エリアを配置し、奥側に前記通信接続エリアを配置してなる請求項１又は２記載の通信及び給電テーブル。
【請求項４】
前記天板の中央部に前記通信接続エリアを配置し、該通信接続エリアを挟んで両側部に前記ワイヤレス給電エリアを配置してなる請求項１又は２記載の通信及び給電テーブル。
【請求項５】
前記天板は、内部に空間があるフラッシュボード構造であり、内部の空間部には、ワイヤレス給電と通信用シートに必要な機器が格納され、空間部の下面側の板体には複数の放熱用のスリットが開口されている請求項１〜４何れか１項に記載の通信及び給電テーブル。
【発明の詳細な説明】
【技術分野】
【０００１】
本発明は、通信及び給電テーブルに係わり、更に詳しくは天板上に載置した電子情報端末に給電するとともに、通信ネットワークに接続することが可能な通信及び給電テーブルに関するものである。
【背景技術】
【０００２】
天板の一部に通信用シートを設け、該通信用シートの上に電子情報端末（例えば、パーソナルコンピュータやタブレット端末）を載置すると、電子情報端末に備えた信号伝達装置により信号を伝達するコネクションが確立し、電子情報端末から通信ネットワーク（例えば、ＬＡＮ）に接続できるようになるテーブルは既に提案されている。本出願人は、このような通信用シートをＬＡＮシート（株式会社イトーキの登録商標）として事業展開している。特許文献１には、通信用シートを天板に組み込んだ信号伝達天板が開示されている。
【０００３】
通信用シートにはアクセスポイントやカプラー等の電子制御機器が必要であり、近くに設置する必要があり、その外部配線が煩雑になる。ところで、ミーティングのため複数人が利用する必要がある場合、テーブル上に前述の電子制御機器を置くと邪魔になって見苦しい。勿論、自席として使用する場合も同様である。また、天板に発熱するデバイスを組み込むと、熱がこもり高温になる。
【先行技術文献】
【特許文献】
【０００４】
【特許文献１】特許第４６６７４３８号公報
【発明の概要】
【発明が解決しようとする課題】
【０００５】
そこで、本発明が前述の状況に鑑み、解決しようとするところは、天板に、天板上に載置した電子情報端末に給電するとともに、通信ネットワークに接続することが可能な機能を組み込むとともに、アクセスポイントやカプラー等の必須の付属電子制御機器をスッキリ収納して煩雑な配線を不要とし、また放熱性も備えた通信及び給電テーブルを提供する点にある。
【課題を解決するための手段】
【０００６】
本発明は、前述の課題解決のために、天板を支持する脚部に収納部を設けるとともに、前記天板には電子情報端末への電力を供給するワイヤレス給電エリアと、電子情報端末に対する情報通信を行うための通信用シートからなる通信接続エリアを近接して配置し、前記ワイヤレス給電手段と通信用シートのためのアクセスポイント、カプラー等の電子制御機器を前記収納部に格納したことを特徴とする通信及び給電テーブルを構成した（請求項１）。
【０００７】
ここで、前記天板に横方向に延びた前記ワイヤレス給電エリアと前記通信接続エリアを前後に配置してなることが好ましい（請求項２）。
【０００８】
更に、前記天板の手前側に前記ワイヤレス給電エリアを配置し、奥側に前記通信接続エリアを配置してなることがより好ましい（請求項３）。
【０００９】
あるいは、前記天板の中央部に前記通信接続エリアを配置し、該通信接続エリアを挟んで両側部に前記ワイヤレス給電エリアを配置してなることがより好ましい（請求項４）。
【００１０】
そして、前記天板は、内部に空間があるフラッシュボード構造であり、内部の空間部には、ワイヤレス給電と通信用シートに必要な機器が格納され、空間部の下面側の板体には複数の放熱用のスリットが開口されていることがより好ましい（請求項５）。
【発明の効果】
【００１１】
以上にしてなる請求項１に係る発明の通信及び給電テーブルは、天板を支持する脚部に収納部を設けるとともに、前記天板には電子情報端末への電力を供給するワイヤレス給電エリアと、電子情報端末に対する情報通信を行うための通信用シートからなる通信接続エリアを近接して配置し、前記ワイヤレス給電手段と通信用シートのためのアクセスポイント、カプラー等の電子制御機器を前記収納部に格納したので、通信用シートとワイヤレス給電手段に対応する機能を備えた電子情報端末を、天板上にワイヤレス給電エリアと通信接続エリアに跨って載置することにより、電子情報端末に給電するとともに、通信ネットワークに接続することができ、天板上面の一切の配線を無くすことができ、また配線が必要で発熱性のアクセスポイント、カプラー等の電子制御機器を脚部の収納部に格納することで、天板上には何も無いので広く使用でき、また放熱性も良くすることができる。
【００１２】
請求項２によれば、前記天板に横方向に延びた前記ワイヤレス給電エリアと前記通信接続エリアを前後に配置してなるので、通信用シートとワイヤレス給電手段に対応する機能を備えたノートパソコン等の電子情報端末をワイヤレス給電エリアと前記通信接続エリアに跨って載置することにより、内蔵電池の持ち時間を気にすることなく作業できるととともに、必要に応じてインターネット等のネットワークに接続することもできる。
【００１３】
請求項３によれば、前記天板の手前側に前記ワイヤレス給電エリアを配置し、奥側に前記通信接続エリアを配置してなるので、天板の手間側に着席して使用するのに勝手が良く、特に自席として一人で使用する場合に適している。
【００１４】
請求項４によれば、前記天板の中央部に前記通信接続エリアを配置し、該通信接続エリアを挟んで両側部に前記ワイヤレス給電エリアを配置してなるので、天板の前後に複数の人が着席して、それぞれノートパソコン等の電子情報端末を手前側に載置して使用することができ、ミーティング用テーブルとして適している。
【００１５】
請求項５によれば、前記天板は、内部に空間があるフラッシュボード構造であり、内部の空間部には、ワイヤレス給電と通信用シートに必要な機器が格納され、空間部の下面側の板体には複数の放熱用のスリットが開口されているので、ワイヤレス給電と通信用シートに必須で接近した位置に設ける必要のある機器を天板の空間部に格納することができ、それから発生する熱はスリットから外部に逃がすことができるので、熱の籠もりがなくなる。
【図面の簡単な説明】
【００１６】
【図１】本発明に係る通信及び給電テーブルの使用状態の斜視図である。
【図２】脚部の収納部にアクセスポイント、カプラー等の電子制御機器を格納した状態の斜視図である。
【図３】通信及び給電テーブルの正面図である。
【図４】テーブルの右側面図である。
【図５】同じくテーブルの平面図である。
【図６】同じくテーブルの底面図である。
【図７】通信及び給電テーブルの天板部分の拡大縦断面図である。
【図８】他の実施形態の通信及び給電テーブルの使用状態の斜視図である。
【発明を実施するための形態】
【００１７】
次に、添付図面に示した実施形態に基づき、本発明を更に詳細に説明する。図１〜図７は、第１実施形態の通信及び給電テーブルを示し、図８は第２実施形態の通信及び給電テーブルを示し、図中符号１は天板、２は脚部、３はワイヤレス給電エリア、４は通信接続エリアをそれぞれ示している。
【００１８】
本発明の通信及び給電テーブルは、天板１を支持する脚部２に収納部５を設けるとともに、前記天板１には電子情報端末への電力を供給するワイヤレス給電エリア３と、電子情報端末に対する情報通信を行うための通信用シートからなる通信接続エリア４を近接して配置し、前記ワイヤレス給電手段と通信用シートのためのアクセスポイント、カプラー等の電子制御機器６を前記収納部５に格納したものである。図中Ｐは、電子情報端末の例としてノートパソコンを示している。
【００１９】
前記天板１に横方向に延びた前記ワイヤレス給電エリア３と前記通信接続エリア４を前後に配置することが好ましく、特に前記天板１の手前側に前記ワイヤレス給電エリア３を配置し、奥側に前記通信接続エリア４を配置することがより好ましい。前記ノートパソコンＰ等を天板１に載置して使用する場合、前記ワイヤレス給電エリア３と通信接続エリア４に跨って配置する必要があるからである。
【００２０】
本実施形態では、図１及び図２に示すように、左右一方の脚部２をスリムなボックス体７とし、該ボックス体７は、足入れ空間に開放面を向け、内部に棚板８，８を多段に設けるとともに、開放面には両開き式の開閉扉９，９を設けて前記収納部５を構成している。ここで、前記開閉扉９は透明又は半透明な板体で作製しても良い。
【００２１】
前記アクセスポイント、カプラー等の電子制御機器６は、前記収納部５の内部の棚板８，８に載置し、内部で自由に相互配線するとともに、前記天板１に組み込んだワイヤレス給電エリア３のワイヤレス給電手段（図示せず）や、通信接続エリア４の通信用シート（図示せず）にも配線を行っている。
【００２２】
前記収納部５を設けた脚部２とは反対側の脚部２は、本実施形態では四角形の枠体１０で構成している。本発明では、前記脚部２の構造限定は不要であるが、少なくとも一方の脚部２には前記収納部５を設けることが必要である。
【００２３】
前記天板１は、図７に示すように、内部に空間があるフラッシュボード構造となっている。前記ワイヤレス給電エリア３は、透明板１１の裏面の着色した不透明層１２を形成し、その内部に例えば渦巻きコイルからなるワイヤレス給電手段を組み込んでいる。前記天板１の内部の空間部１３には、その他の必要なワイヤレス給電手段が組み込まれている。また、前記通信接続エリア４は、積層構造の通信用シートから構成されている。前記ワイヤレス給電エリア３と前記通信接続エリア４は、色を変えてそのエリアの目印とすることが使用上好ましい。
【００２４】
更に、前記天板１の内部には、発熱性のワイヤレス給電手段や通信用シートが組み込まれているので、熱が籠もらないようにするため、前記空間部１３の下面側の板体１４には複数の放熱用のスリット１５，…が開口されている。例えば、前記空間部１３に通信用シートに電波を伝達する近接コネクタが配置されている。
【００２５】
図８は、本発明の第２実施形態を示し、前記天板１の中央部に前記通信接続エリア４を配置し、該通信接続エリア４を挟んで両側部に前記ワイヤレス給電エリア３，３を配置した構造である。この天板１では、前後対称となっており、前後両側に着席して使用することができるようになっている。前記ワイヤレス給電エリア３と通信接続エリア４の配置以外は前記同様であるので、同一構成には同一符号を付してその説明は省略する。
【００２６】
ワイヤレス給電方式には、電磁誘導方式、電波方式、電磁界共鳴方式がある。電磁誘導方式は、ＩＣカードや電磁調理器などの近距離送電の用途で実用化されている。電磁界共鳴方式では、送受信デバイスの共振周波数についてマッチングをとらなくてはならないため、通常小さなコイルを複数用いた装置が実用化されている。
【００２７】
ＬＡＮシート（株式会社イトーキの登録商標）のシステムの機器構成は、ＬＡＮシートとＬＡＮケーブルの信号を無線ＬＡＮ信号に変換するアクセスポイントとアクセスポイントから出る電波を効率的にＬＡＮシートに流す近接コネクタ（カプラ）で構成される。アクセスポイントに接続している近接コネクタよりＬＡＮシートに入力された電波は、シート上面のメッシュ層を伝わり、電波はメッシュ層より染み出し、無線ＬＡＮ対応のパソコンはこの電波を受信し通信が確立するようになっている。従って、無線ＬＡＮ対応であれば電子情報端末側には特別な機能はいらないので汎用的である。
【符号の説明】
【００２８】
１  天板
２  脚部
３  ワイヤレス給電エリア
４  通信接続エリア
５  収納部
６  電子制御機器
７  ボックス体
８  棚板
９  開閉扉
１０  枠体
１１  透明板
１２  不透明層
１３  空間部
１４  板体
１５  スリット
Ｐ  ノートパソコン
【図１】
2014097208.tif 000003
【図２】
2014097208.tif 000004
【図３】
2014097208.tif 000005
【図４】
2014097208.tif 000006
【図５】
2014097208.tif 000007
【図６】
2014097208.tif 000008
【図７】
2014097208.tif 000009
【図８】
2014097208.tif 000010